【事件の表示】
　特願２０１５−２３５４８９「撮像装置」拒絶査定不服審判事件〔平成２８年　３月１７日出願公開、特開２０１６−　３６１８３〕について、次のとおり審決する。
【結　論】
　本件審判の請求は、成り立たない。
【理　由】
第１　手続の経緯
　本願は、平成１９年１２月１３日の出願である特願２００７−３２１４８６号の一部を、数次の分割を経て平成２７年１２月２日に新たな特許出願としたものであって、その手続の経緯は以下のとおりである。
平成２７年１２月　２日：手続補正書
平成２８年　９月２１日：拒絶理由通知
平成２８年１１月２５日：意見書、手続補正書
平成２９年　６月　８日：拒絶査定
平成２９年　９月１１日：拒絶査定不服審判請求
平成２９年　９月１１日：手続補正書
平成３０年　６月２２日：拒絶理由通知（当審）
平成３０年　８月２７日：意見書、手続補正書
第２　本願発明
　本願の請求項１〜４に係る発明は、平成３０年８月２７日付けの手続補正書により補正された特許請求の範囲の請求項１〜４に記載された事項により特定されるものであり、そのうち、請求項１に係る発明（以下、「本願発明」という。）は、次のとおりのものである。
　なお、本願発明の各構成の符号は、説明のために当審において付与したものであり、以下、構成Ａ〜構成Ｇと称する。
（本願発明）
（Ａ）撮像素子と前記撮像素子から出力される信号を処理する信号処理部とを有する撮像手段と、
（Ｂ）前記撮像手段のフォーカス位置をユーザが手動操作で制御してマニュアルフォーカス操作するためのマニュアルフォーカス操作手段と、
（Ｃ）前記撮像手段から出力される撮像映像から、画像処理を用いて人物の顔を検出する顔認識手段と、
（Ｄ）前記撮像映像から所定の領域を切出して拡大表示するための切出し映像を生成する切出し映像生成手段と、
（Ｅ）前記撮像映像又は前記切出し映像のいずれか一方を単独で表示し、若しくは、前記撮像映像と前記切出し映像の双方を重畳表示する映像表示手段と、
（Ｆ）制御部と、
　を備え、
　前記制御部は、
（Ｆ１）前記顔認識手段により検出された前記撮像映像における人物の顔の位置に応じて自動で切出す領域を変更し、前記人物の顔の位置に応じて切出して生成した前記拡大表示するための切出し映像を前記撮像映像との重畳表示により前記映像表示手段に表示するように制御し、
（Ｆ２）前記マニュアルフォーカス操作手段へのユーザによる手動操作があると、前記手動操作に応じて前記映像表示手段による表示方法を前記切出し映像と前記撮像映像との重畳表示から切り替えて、前記顔認識手段により検出された前記撮像映像における人物の顔の位置に応じて自動で設定された領域を切出して生成された切出し映像を単独で前記映像表示手段に表示するように制御する
（Ｇ）ことを特徴とする撮像装置。
第３　当審の拒絶の理由
　平成３０年６月２２日付けで当審が通知した拒絶の理由のうちの理由１の（２）は、概略、以下のとおりである。
理由１．（サポート要件）請求項１〜６に係る発明は、発明の詳細な説明に記載されたものでないから、この出願は、特許法第３６条第６項第１号に規定する要件を満たしていない。
　　　　　　　　　　　　　　　　　記
　平成２９年９月１１日付けの手続補正書により補正された特許請求の範囲の請求項１について、「前記顔認識手段により検出された前記撮像映像における人物の顔の位置に応じて自動で切出す領域を変更し、前記人物の顔の位置に応じて切出して生成した前記拡大表示するための切出し映像を第一の表示方法で前記映像表示手段に表示する」という表示を行っている最中に、「マニュアルフォーカス操作手段へのユーザによる手動操作」があった場合に、「前記操作に応じて前記映像表示手段による表示方法を前記第一の表示方法から切り替えて、第二の表示方法により、前記顔認識手段により検出された前記撮像映像における人物の顔の位置に応じて自動で設定された領域を切出して生成された切出し映像を、前記映像表示手段に表示する」という記載のように、表示を切り替えることは、発明の詳細な説明には記載されていない。
　また、平成２９年９月１１日付けの手続補正書により補正された特許請求の範囲の請求項６には、「前記第一の表示方法は撮像映像と切出し映像の重畳表示であり、前記第二の表示方法は前記切出し映像の単独表示である」と記載されているが、当該「第一の表示方法」から当該「第二の表示方法」に切り替えることも、発明の詳細な説明には記載されていない。
第４　当審における拒絶の理由１（サポート要件）についての判断
１　平成３０年８月２７日付けの手続補正の内容
　平成３０年８月２７日付けの手続補正（以下、「本件補正」という。）は、平成２９年９月１１日付けの手続補正により補正された特許請求の範囲の請求項１ないし６を、本件補正による特許請求の範囲の請求項１ないし４に補正するものであり、本件補正は、請求項１に係る次の補正事項を含むものである（下線は補正箇所を示す。）。
（補正前の請求項１）
　　【請求項１】
　撮像素子と前記撮像素子から出力される信号を処理する信号処理部とを有する撮像手段と、
　前記撮像手段のフォーカス位置をユーザが手動操作で制御してマニュアルフォーカス操作するためのマニュアルフォーカス操作手段と、
　前記撮像手段から出力される撮像映像から、画像処理を用いて人物の顔を検出する顔認識手段と、
　前記撮像映像から所定の領域を切出して拡大表示するための切出し映像を生成する切出し映像生成手段と、
　前記撮像映像又は前記切出し映像のいずれか一方を単独で表示し、若しくは、前記撮像映像と前記切出し映像の双方を重畳表示する映像表示手段と、
　制御部と、
　を備え、
　前記顔認識手段により検出された前記撮像映像における人物の顔の位置に応じて自動で切出す領域を変更し、前記人物の顔の位置に応じて切出して生成した前記拡大表示するための切出し映像を第一の表示方法で前記映像表示手段に表示するように制御する制御モード、を有し、
　前記制御部は、前記制御モードにおいて前記マニュアルフォーカス操作手段へのユーザによる手動操作があると、前記操作に応じて前記映像表示手段による表示方法を前記第一の表示方法から切り替えて、第二の表示方法により、前記顔認識手段により検出された前記撮像映像における人物の顔の位置に応じて自動で設定された領域を切出して生成された切出し映像を、前記映像表示手段に表示するように制御することを特徴とする撮像装置。
（補正前の請求項６）
　　【請求項６】
　請求項１乃至５のいずれかに記載の撮像装置であって、
　前記第一の表示方法は撮像映像と切出し映像の重畳表示であり、前記第二の表示方法は前記切出し映像の単独表示であることを特徴とする撮像装置。
（補正後の請求項１）
　　【請求項１】
　撮像素子と前記撮像素子から出力される信号を処理する信号処理部とを有する撮像手段と、
　前記撮像手段のフォーカス位置をユーザが手動操作で制御してマニュアルフォーカス操作するためのマニュアルフォーカス操作手段と、
　前記撮像手段から出力される撮像映像から、画像処理を用いて人物の顔を検出する顔認識手段と、
　前記撮像映像から所定の領域を切出して拡大表示するための切出し映像を生成する切出し映像生成手段と、
　前記撮像映像又は前記切出し映像のいずれか一方を単独で表示し、若しくは、前記撮像映像と前記切出し映像の双方を重畳表示する映像表示手段と、
　制御部と、
　を備え、
　
前記制御部は、
前記撮像映像との重畳表示により
制御し、
　前記マニュアルフォーカス操作手段へのユーザによる手動操作があると、前記
手動
切出し映像と前記撮像映像との重畳表示
を単独で
　以上によれば、本件補正により、補正前の請求項１の「第一の表示方法」は、「切出し映像」と「撮像映像」を「重畳表示」する表示方法と限定され、補正前の請求項１の「第二の表示方法」は、「切出し映像を単独で」表示する表示方法と限定された。
　一方、補正前の特許請求の範囲の請求項６には、「前記第一の表示方法は撮像映像と切出し映像の重畳表示であり、前記第二の表示方法は前記切出し映像の単独表示である」と記載されていたから、本件補正による補正後の請求項１は、補正前の請求項６に対応するものといえる。
　以下、拒絶理由の対象となった本願発明の構成Ｆ１及び構成Ｆ２が、発明の詳細な説明に記載されたものか検討する。
２　発明の詳細な説明の記載
　本願発明に関して、発明の詳細な説明には、以下の記載がある。
　なお、下線は、強調のために当審で付したものである。
（１）「【実施例１】
【００１２】
　図１は、本発明の
第１実施例に係る撮像装置
０１０２は切出し映像生成部、０１０３は映像表示部、０１０４は表示映像制御部、０１０５はマニュアルフォーカス操作部
【００１３】
　図１に示した撮像装置において、撮像部０１０１はズーム及びフォーカスが可変な撮像部であり、ズームレンズ及びフォーカスレンズを含むレンズ群や、シャッタや、CCDまたはCMOSなどの撮像素子や、AGCや、ADや、カメラ信号処理DSPや、動画像処理LSIや、タイミングジェネレータ等から構成され、光電変換による撮像を行い、映像データと、映像表示部０１０３の表示領域の解像度に合わせて縮小した表示用映像データを出力する。表示用映像データは元の映像データを一定画素毎に間引いて生成しても良いし、動画像処理LSIを用いてフィルタ演算による画像縮小処理を行って生成しても良い。映像データは不図示の映像記録部に出力することで、DVDやBDやHDDなどの記録媒体に動画や静止画を記録したり、不図示のTVモニタやPCディスプレイに出力して表示したりすることが可能である。
切出し映像生成部０１０２は撮像部０１０１の出力する映像データの所定の領域を選択し、領域内の映像を等倍または所定の倍率に拡大して切出し映像データとして出力する。
映像表示部０１０３は、撮像装置に付属する液晶ディスプレイなどのモニタ部であり、表示映像制御部０１０４の出力する映像表示方法の制御情報に基づき、撮像部０１０１の出力する表示用映像データ、または、切出し映像生成部０１０２の出力する切出し映像データを取得して表示する。
表示映像制御部０１０４は、マニュアルフォーカス操作部０１０５とマニュアルズーム操作部０１０６からフォーカス操作やズーム操作の情報を取得し、それを元に映像表示部０１０３の映像表示方法を決定して、その制御情報を映像表示部０１０３に出力する。
【００１４】
　
図２は、本発明の第１実施例に係る映像表示方法の一例を示す図である。
図２において、（ａ）は通常の撮像映像を表示する液晶ディスプレイ、（ｂ）は切出し映像を表示する液晶ディスプレイ、
（ｄ）は表示領域を小領域とその他の領域に二分割し通常の撮像映像と切出し映像を重ねて表示する液晶ディスプレイの図である
実際の撮像映像の解像度と同じ解像度で液晶ディスプレイ上に表示するため、映像の縮小処理による画質劣化などの影響を受けずに視認性が向上する
より正確にマニュアルでのフォーカス操作や露光操作などを行うことができる
【００１５】
　図３は本発明の第１実施例に係る映像表示方法の制御シーケンスの一例を示す第一の図である。図３の映像表示方法の制御シーケンスは表示映像制御部０１０４で実行される。
【００１６】
　図３の映像表示方法の制御シーケンスにおいて、ＳＴ０３０１では、
撮像装置の起動後、通常の撮像映像を映像表示部０１０３が表示するように制御する
マニュアルフォーカス操作部から、ユーザがマニュアルフォーカスを操作しているかどうかの操作情報を取得し、操作を検知していればＳＴ０３０３に
分岐する。ＳＴ０３０３では、切出し映像を映像表示部０１０３が表示するように制御する
マニュアルズーム操作部から、ユーザがマニュアルズームを操作しているかどうかの操作情報を取得し、操作を検知していればＳＴ０３０５に
分岐する。ＳＴ０３０５では、通常の撮像映像を映像表示部０１０３が表示するように制御する
液晶表示の終了条件が
、なければＳＴ０３０３から繰り返す
マニュアルフォーカス操作時に表示する映像が、切出し映像の代わりに図２（ｃ）や図２（ｄ）で示したような合成映像であっても良く、マニュアルフォーカス操作時とマニュアルズーム操作時で表示する映像の表示方法をメニュー画面等でユーザが事前に選択する形態にして、ユーザが好みの映像を見ながら操作を行えるようにしても良い
【図２】
【図３】
」
（２）「【実施例２】
【００２７】
　図８は、本発明の
第２実施例に係る撮像装置
１０２は切出し映像生成部、０１０３は映像表示部、０１０４は表示映像制御部、０８１１は被写体認識部
【００２８】
　図８に示した撮像装置において、撮像部０１０１はズーム及びフォーカスが可変な撮像部であり、ズームレンズ及びフォーカスレンズを含むレンズ群や、シャッタや、CCDまたはCMOSなどの撮像素子や、AGCや、ADや、カメラ信号処理DSPや、動画像処理LSIや、タイミングジェネレータ等から構成され、光電変換による撮像を行い、映像データと、映像表示部０１０３の表示領域の解像度に合わせて縮小した表示用映像データを出力する。表示用映像データは元の映像データを一定画素毎に間引いて生成しても良いし、動画像処理LSIを用いてフィルタ演算による画像縮小処理を行って生成しても良い。映像データは不図示の映像記録部に出力することで、DVDやBDやHDDなどの記録媒体に動画や静止画を記録したり、不図示のTVモニタやPCディスプレイに出力して表示したりすることが可能である。
切出し映像生成部０１０２は撮像部０１０１の出力する映像データの所定の領域を選択し、領域内の映像を等倍または所定の倍率に拡大して切出し映像データとして出力する。映像表示部０１０３は、撮像装置に付属する液晶ディスプレイなどのモニタ部であり、表示映像制御部０１０４の出力する映像表示方法の制御情報に基づき、撮像部０１０１の出力する表示用映像データ、または、切出し映像生成部０１０２の出力する切出し映像データを取得して表示する。表示映像制御部０１０４は、被写体認識部０８１１から被写体認識結果を取得し、それを元に映像表示部０１０３の映像表示方法を決定して、その制御情報を映像表示部０１０３に出力する
被写体認識部０８１１は撮像部０１０１の出力する映像データを元に画像認識処理で被写体の検出や追跡などを行い、被写体認識結果を表示映像制御部０１０４に出力する。また、被写体認識部０８１１は、被写体認識結果を元に切出し映像生成部０１０２の切出す領域の位置や範囲を決定し、切出し映像生成部０１０２に出力する。
被写体を検出するには既存の顔検出技術や動体検出技術などを用いれば良い。
【００２９】
　図９は、本発明の第２実施例に係る切出し映像の切出し領域の制御方法の一例を示す図である。図９において、（ａ）は一定フレーム経過前後の撮像映像、（ｂ）は一定フレーム経過前後の対応する切出し映像を表示する液晶ディスプレイの図であり、０９０１＿１は一定フレーム経過前における切出し領域、０９０１＿２は一定フレーム経過後における切出し領域、０９０２＿１は一定フレーム経過前における被写体人物、０９０２＿２は一定フレーム経過後における被写体人物である。なお、図９（ａ）における点線や矢印は説明を分かりやすくするために便宜的に表示しているものであり、実際の撮影画像中の被写体像ではない。図９を用いて切出し映像の切出し領域の制御方法の動作を説明する。一定フレーム経過前において、ユーザが被写体人物０９０２＿１付近の領域０９０１＿１を液晶ディスプレイ上で等倍表示していたとする。このとき、被写体認識部０８１１は、切出し領域０９０１＿１に含まれる被写体人物０９０２＿１の検出を行う。
一定フレームが経過し、被写体人物が図中矢印の方向に移動した場合、被写体人物は画像認識による追跡処理により、移動後の被写体人物０９０２＿２を検出し、その移動量や移動方向などを元に、切出し領域をシフトするよう制御する。その制御情報を切出し映像生成部０１０２に出力し、切出し映像生成部が制御情報を元に切出し領域を変更することで、図９（ｂ）のように被写体移動後も移動前と切出し映像内での位置が変わらないように制御することが可能となる。これにより、ユーザがフォーカスや露光を合わせたい被写体が移動した場合でも、自動で等倍または拡大表示する領域を追従し、容易に正確なフォーカスや露光の合わせが実現できる
【００３０】
　図１０は、本発明の第２実施例に係る映像表示方法の制御方法の一例を示す第一の図である。図１０において、（ａ）は一定フレーム経過前後の撮像映像、（ｂ）は一定フレーム経過前後の対応する切出し映像を表示する液晶ディスプレイの図であり、１００１＿１は一定フレーム経過前における切出し領域、１００１＿２は一定フレーム経過後における切出し領域、１００２＿１は一定フレーム経過前における第一の被写体人物、１００２＿２は一定フレーム経過後における第一の被写体人物、１００３は一定フレーム経過後における第二の被写体人物である。なお、図１０（ａ）における点線は説明を分かりやすくするために便宜的に表示しているものであり、実際の撮影画像中の被写体像ではない。図１０を用いて映像表示方法の制御方法の動作を説明する。一定フレーム経過前において、ユーザが第一の被写体人物１００２＿１付近の領域１００１＿１を液晶ディスプレイ上で等倍表示していたとする。被写体認識部０８１１は切出し領域１００１＿１の領域外でも毎フレームまたは一定フレームおきに被写体検出処理を行う。一定フレーム経過後、被写体認識部０８１１が切出し領域１００１＿２の領域外で第二の被写体１００３を検出したら、検出結果を表示映像制御部０１０４に出力する。映像表示方法０１０４は検出結果を受け、図１０（ｂ）のように表示映像を通常の撮像映像に切り替えるように制御する。これにより、ユーザが切出し映像のみを確認して操作を行っている場合でも、撮像の画角内に新規の被写体が入ってきたら、自動で全体の画角が見られるように切り替わるため、画角内に荷入ってきた被写体を見逃すことなく、被写体の確認や構図の把握が容易に行えるようになる。
【００３１】
　かように本実施例によれば、
液晶ディスプレイなどの表示モニタを有する撮像装置において、映像の一部を等倍または拡大表示することで視認性の向上と、フォーカスや露光をマニュアルで行うときの操作性の向上を実現する
【図９】
」
（３）「【００３６】
　なお、本発明は上記した実施例に限定されるものではなく、様々な変形例が含まれる。例えば、上記した実施例は本発明を分かりやすく説明するために詳細に説明したものであり、必ずしも説明した全ての構成を備えるものに限定されるものではない。また、
ある実施例の構成の一部を他の実施例の構成に置き換えることが可能であり、また、ある実施例の構成に他の実施例の構成を加えることも可能である
３　判断
（１）第１実施例について
　上記２（１）によれば、本願の発明の詳細な説明に記載された発明（第１実施例）の「マニュアルフォーカス操作部０１０５」、「切出し映像生成部０１０２」及び「映像表示部０１０３」は、本願発明の構成Ｂの「マニュアルフォーカス操作手段」、構成Ｄの「切出し映像生成手段」及び構成Ｅの「映像表示手段」に対応するものといえる。
　また、図２（ａ）で示す映像表示方法は、構成Ｅの「前記撮像映像又は前記切出し映像のいずれか一方を単独で表示し」のうちの一方である「前記撮像映像を単独で表示し」に対応し、図２（ｂ）で示す映像表示方法は、構成Ｅの「前記切出し映像を単独で表示し」に対応し、図２（ｄ）で示す映像表示方法は、構成Ｅの「前記撮像映像と前記切出し映像の双方を重畳表示する」に対応するものといえる。
　そして、「表示映像制御部０１０４」は、マニュアルフォーカス操作部０１０５からフォーカス操作の情報を取得し、それらを元に映像表示部０１０３の映像表示方法を決定して、その制御情報を映像表示部０１０３に出力するものであるから、構成Ｆの「制御部」に対応するものといえる。
　以上によれば、発明の詳細な説明には、表示映像制御部０１０４の映像表示方法について、第１実施例として、以下のア〜エの事項が記載されているといえる。
ア　表示映像制御部は、マニュアルフォーカス操作部へのユーザによる手動操作があると、前記手動操作に応じて映像表示部による映像表示方法を通常の撮像映像の表示（図２（ａ））から切り替えて、前記映像表示部による映像表示方法を切出し映像を単独で表示（図２（ｂ））するように制御すること。
イ　表示映像制御部は、マニュアルフォーカス操作部へのユーザによる手動操作があると、前記手動操作に応じて映像表示部による映像表示方法を通常の撮像映像の表示（図２（ａ））から切り替えて、前記映像表示部による映像表示方法を切出し映像と撮像映像との重畳表示（図２（ｄ））によりに表示するように制御すること。
ウ　表示映像制御部は、マニュアルズーム操作部へのユーザによる手動操作があると、前記手動操作に応じて映像表示部による映像表示方法を通常の撮像映像の表示（図２（ａ））に切り替えて表示するように制御すること。
エ　マニュアルフォーカス操作時とマニュアルズーム操作時で表示する映像の表示方法をメニュー画面等でユーザが事前に選択すること。
（２）第２実施例について
　上記２（２）によれば、上記（１）と同様に、本願の発明の詳細な説明に記載された発明（第２実施例）の「切出し映像生成部０１０２」、「映像表示部０１０３」及び「表示映像制御部０１０４」は、本願発明の構成Ｄの「切出し映像生成手段」、構成Ｅの「映像表示手段」及び構成Ｆの「制御部」に対応するものといえる。
　また、「被写体認識部０８１１」は、顔検出を行うものであるから、構成Ｃの「顔認識手段」に対応するものといえる。
　以上によれば、発明の詳細な説明には、表示映像制御部０１０４の映像表示方法について、第２実施例として、以下のアの事項が記載されているといえる。
ア　表示映像制御部は、被写体認識部により検出された撮像映像における人物の顔の位置に応じて自動で切出す領域を変更し、前記人物の顔の位置に応じて切出して生成した拡大表示するための切出し映像を映像表示部に表示するように制御すること。
（３）第１実施例と第２実施例の組み合わせについて
　次に、上記２（３）のとおり、本願の発明の詳細な説明には、「ある実施例の構成の一部を他の実施例の構成に置き換えることが可能であり、また、ある実施例の構成に他の実施例の構成を加えることも可能である」とあるから、第１実施例と第２実施例の構成を置き換えること、または、構成を加えることについて検討する。
（３−１）構成Ｆ１について
　上記２（１）によれば、第１実施例において、切出し映像を表示することは、「実際の撮像映像の解像度と同じ解像度で液晶ディスプレイ上に表示するため、映像の縮小処理による画質劣化などの影響を受けずに視認性が向上する」、「より正確にマニュアルでのフォーカス操作や露光操作などを行うことができる」（段落００１４）と記載がある。
　また、上記２（２）によれば、第２実施例に関して、切出し映像を表示することは、「液晶ディスプレイなどの表示モニタを有する撮像装置において、映像の一部を等倍または拡大表示することで視認性の向上と、フォーカスや露光をマニュアルで行うときの操作性の向上を実現する」（段落００３１）と記載がある。
　当該記載によれば、第１実施例及び第２実施例において、「表示映像制御部」が、「切出し領域を選択し、前記切出し領域内の映像を切出して生成した拡大表示するための切出し映像を映像表示部に表示するように制御する」のは、フォーカス操作や露光操作を行うためであって共通するものと解される。よって、第１実施例の切出し領域の設定において、第２実施例の被写体認識部０８１１が、被写体認識結果を元に切出し領域の位置や範囲を決定して、切出し映像生成部０１０２に出力する構成を加えることは、発明の詳細な説明に記載されたものといえる。
　そうすると、上記（１）ア及びイの「切出し映像」を、「人物の顔の位置に応じて切出して生成した拡大表示するための切出し映像」と置き換えたものも、発明の詳細な説明に記載されたものといえる。
　以上によれば、以下のア〜エの事項は、発明の詳細な説明に記載されたものといえる。
ア　表示映像制御部は、マニュアルフォーカス操作部へのユーザによる手動操作があると、前記手動操作に応じて映像表示部による映像表示方法を通常の撮像映像の表示（図２（ａ））から切り替えて、前記映像表示部による映像表示方法を人物の顔の位置に応じて切出して生成した拡大表示するための切出し映像を単独で表示（図２（ｂ））するように制御すること。
イ　表示映像制御部は、マニュアルフォーカス操作部へのユーザによる手動操作があると、前記手動操作に応じて映像表示部による映像表示方法を通常の撮像映像の表示（図２（ａ））から切り替えて、前記映像表示部による映像表示方法を人物の顔の位置に応じて切出して生成した拡大表示するための切出し映像と撮像映像との重畳表示（図２（ｄ））によりに表示するように制御すること。
ウ　表示映像制御部は、マニュアルズーム操作部へのユーザによる手動操作があると、前記手動操作に応じて映像表示部による映像表示方法を通常の撮像映像の表示（図２（ａ））に切り替えて表示するように制御すること。
エ　マニュアルフォーカス操作時とマニュアルズーム操作時で表示する映像の表示方法をメニュー画面等でユーザが事前に選択すること。
　そして、上記イによれば、構成Ｆ１は、発明の詳細な説明に記載されたものといえる。
（３−２）構成Ｆ２について
　構成Ｆ２は、「前記切出し映像と前記撮像映像との重畳表示」（図２（ｄ））から切り替えて、「切出し映像を単独で」表示（図２（ｂ））する制御を、「マニュアルフォーカス操作手段へのユーザによる手動操作」に応じて行うものである。
　「マニュアルフォーカス操作部へのユーザによる手動操作」に応じて映像表示方法を切り替えることについて、発明の詳細な説明には、上記（３−１）ア及びイのとおり、通常の撮像映像の表示（図２（ａ））から「切出し映像を単独で表示」（（３−１）ア、図２（ｂ））、あるいは、「切出し映像と撮像映像との重畳表示」（（３−１）イ、図２（ｄ））に切り替えるように制御することは記載されたものといえるが、「切出し映像と撮像映像との重畳表示」（図２（ｄ））から、「切出し映像を単独で表示」（図２（ｂ））に切り替えるように制御することは記載されていない。
　ここで、マニュアルフォーカス操作時で表示する映像の表示方法については、上記（３−１）エの記載はあるが、上記（３−１）エでは、マニュアルフォーカス操作時で表示する映像の表示方法は、「メニュー画面等でユーザが事前に選択する」ものであるから、マニュアルフォーカス操作の事前に、「切出し映像と撮像映像との重畳表示」（図２（ｄ））、あるいは、「切出し映像を単独で表示」（図２（ｂ））を選択するものであって、マニュアルフォーカス操作時に、「切出し映像と撮像映像との重畳表示」（図２（ｄ））から、「切出し映像を単独で表示」（図２（ｂ））に切り替えるものではない。
　よって、マニュアルフォーカス操作部へのユーザによる手動操作があったときに、映像表示部による映像表示方法を、切出し映像と撮像映像との重畳表示から切り替えて、被写体認識部により検出された前記撮像映像における人物の顔の位置に応じて自動で設定された領域を切出して生成された切出し映像を単独で前記映像表示部に表示するように制御することは、発明の詳細な説明に記載されたものとはいえない。
　したがって、構成Ｆ２は、発明の詳細な説明に記載されたものとはいえない。
（４）請求人の主張について
　請求人は、平成３０年８月２７日付け意見書において、第１実施例には、「フォーカス操作をする前の表示状態はその前に行った別の操作（ここではズーム操作）に適した表示であってもよい」ことが示されており、「この別の操作に適した表示の一態様として、人物の顔の位置に応じて切出して生成した拡大表示するための切出し映像と撮像映像との重畳表示の場合も選択されうる」と主張している。
　当該主張は、第１実施例または第２実施例において、別の操作（ズーム操作）を行ったときに、別の操作（ズーム操作）に適した表示の一態様として、切出し映像と撮像映像との重畳表示を行うことも選択されうることが発明の詳細な説明に記載されているという主張であると解される。
　しかしながら、ズーム操作を行ったときの映像表示方法について、発明の詳細な説明には、上記（３−１）ウのとおり、通常の撮像映像の表示（図２（ａ））を行うことが記載されるのみであり、ズーム操作を行ったときに、切出し映像と撮像映像との重畳表示を行うことは、発明の詳細な説明には記載も示唆もされていない。
　ここで、マニュアルズーム操作時で表示する映像の表示方法について、上記（３−１）エのとおり、「メニュー画面等でユーザが事前に選択する」ことは記載されている。しかしながら、上述のとおり、ズーム操作を行ったときの映像表示方法について、発明の詳細な説明には、通常の撮像映像の表示（図２（ａ））を行うことが記載されるのみである。
　また、発明の詳細な説明には、上記（３−１）イのとおり、切出し映像と撮像映像との重畳表示（図２（ｄ））を行うことは記載されているものの、当該表示は、マニュアルフォーカス操作を行ったときの映像表示方法として記載されているものであり、ズーム操作を行ったときの映像表示方法として記載されているものではない。
　よって、マニュアルズーム操作時で表示する映像の表示方法について、メニュー画面等でユーザが事前に選択可能な表示方法の中に、切出し映像と撮像映像との重畳表示が含まれるとはいえない。
　また、ズーム操作を行ったときに、切出し映像と撮像映像との重畳表示を行うことは、技術常識ともいえない。
　したがって、第１実施例または第２実施例において、ズーム操作を行ったときに、切出し映像と撮像映像との重畳表示を行うことが発明の詳細な説明に記載されているということはできない。
　よって、請求人の主張は採用することができない。
（５）まとめ
　以上によれば、構成Ｆ２は、発明の詳細な説明に記載されたものとはいえないから、本願発明は、発明の詳細な説明に記載されたものとはいえない。
第５　むすび
　以上のとおり、本願の請求項１に係る発明は、発明の詳細な説明に記載したものでないから、本願は、特許法第３６条第６項第１号に規定する要件を満たしていない。
　したがって、本願は、その余の請求項について検討するまでもなく、拒絶をすべきものである。
　よって、結論のとおり審決する。